(57)【要約】【課題】シグナルカットユニットにおいて、各入力端子と各出力端子との間には個別の手動スイッチのみが接続され、リセットをするときには機械的操作によって全手動スイッチを同時に信号接続することを課題とする。【解決手段】電磁弁制御ユニットから電磁弁への信号を接続又は遮断する手動スイッチがケース２０内に配設され、手動スイッチの操作レバー２２がケース上面３０に突出して配設されている。操作レバー２２がケース２０上に一列に並んで配置され、ケース上にカバー２３が揺動可能状態に配設されている。カバー２３に可動突起２７が形成され、カバー２３が信号遮断側（後側）に揺動されたときは、可動突起２７と全操作レバー２２とが離隔され、カバー２３が信号接続側（前側）に揺動されたときは、可動突起２７によって全操作レバー２２が信号接続側に移動される。【選択図】        図１
2004183776.tif 000002
【特許請求の範囲】
【請求項１】
電磁弁制御ユニットとマニホールド電磁弁との間に隣接して接続され、電磁弁制御ユニットからマニホールド電磁弁の各電磁弁への信号を接続又は遮断する手動スイッチがケース内に配設され、手動スイッチの操作レバーがケース上面に突出して配設されたシグナルカットユニットにおいて、
前記操作レバーがケース上に一列に並んで配置され、ケース上にカバーが揺動可能状態に配設され、カバーに可動突起が形成され、カバーが信号遮断側に揺動されたときは、可動突起と全操作レバーとが離隔され、カバーが信号接続側に揺動されたときは、可動突起によって全操作レバーが信号接続側に移動されることを特徴とするシグナルカットユニット。
【請求項２】
カバーに掛止部材が形成されるとともにケースの上部に受具が形成され、掛止部材の隣接位置に掛止解除部材が形成され、カバーが信号接続側に揺動されたときは、掛止部材が受具に掛止されて掛止位置が維持され、掛止解除部材が押圧されたとき掛止部材と受具との掛止が解除される請求項１のシグナルカットユニット。
【請求項３】
横長のカバーが操作レバーに沿って配置され、カバーの両端が横長のケースの両端に支持され、板状の可動突起がカバーの全長にわたって形成され、カバーの横長方向の中央部に可撓壁が形成され、可撓壁の先端に掛止部材が配置された請求項１又は２のシグナルカットユニット。
【発明の詳細な説明】
【０００１】
【発明の属する技術分野】
本発明は、電磁弁制御ユニットとマニホールド電磁弁との間に配置され、電磁弁制御ユニットからマニホールド電磁弁の電磁弁への信号を接続又は遮断するシグナルカットユニットに関する。
【０００２】
【従来の技術】
【特許文献１】
特許文献１（特開平８−１５９３２７号公報）には、電磁弁制御ユニットとマニホールト電磁弁との間に接続されたシグナルカットユニット（スイッチユニット）が記載されている。マニホールド電磁弁は、圧縮空気の供給配管を有する２つのエンドプレートで複数個の電磁（切換）弁を挟んで固定配置したものであり、電磁弁制御ユニットは、コントローラからの制御信号に基づき、各電磁弁を制御するユニットである。特定の電磁弁及び特定の電磁弁によって制御されるアクチュエータを点検したり調整したりするとき、特定の電磁弁への入力信号を遮断し、電磁弁の主弁を手動で切り換えられるようにしておく必要がある。特定の電磁弁への入力信号を遮断するために、シグナルカットユニットが配置されている。
【０００３】
特許文献１のシグナルカットユニットは、各入力端子と各出力端子との間に主作動スイッチが接続され、各主作動スイッチに対応してサブスイッチが配設され、各主作動スイッチと各サブスイッチとは連動するように構成されている。点検や調整の前に、特定の主作動スイッチを切り換えて、特定の電磁弁への入力信号を遮断する。点検や調整が終了した後に、特定の主作動スイッチも元の位置に切り換えて、入力信号を接続する。このとき、主作動スイッチの戻し忘れによるご動作を防止するため、すべての主作動スイッチが信号接続状態（リセット）になったとき、サブスイッチを直列に接続した検出回路が閉成して、リセットを確認できるようにされている。特許文献１のシグナルカットユニットは、リセット確認のための検出回路を設けたので、ユニット全体が複雑となり、検出回路の閉成を確認するときには確認用の機器を接続する必要がある。また、主作動スイッチとサブスイッチのレバーが上面に露出しているので、不用意な操作が行われる恐れがある。
【０００４】
【特許文献２】
特許文献２（特開２００１−３５５７５５号公報）には、強制出力ユニット内に各電磁弁の制御信号を遮断する個別スイッチと一括スイッチが配設され、個別スイッチ及び一括スイッチのレバーが強制出力ユニットの上面に並べられている。そして、強制出力ユニットに透明な保護カバーが着脱可能状態に支持されている。スイッチが保護カバーで覆われることで外部に露出しなくなり、スイッチの不用意な操作を防ぐことができる。
【０００５】
【発明が解決しようとする課題】
本発明は、シグナルカットユニットにおいて、各入力端子と各出力端子との間には個別の手動スイッチのみが接続され、リセットをするときには機械的操作によって全手動スイッチを同時に信号接続することを第１課題とし、全手動スイッチの信号接続を維持することを第２課題とする。
【０００６】
【課題を解決するための手段】
本発明は、前記課題を達成するために、電磁弁制御ユニットとマニホールド電磁弁との間に隣接して接続され、電磁弁制御ユニットからマニホールド電磁弁の各電磁弁への信号を接続又は遮断する手動スイッチが（シグナルカットユニット）ケース内に配設され、手動スイッチの操作レバーがケース上面に突出して配設されたシグナルカットユニットにおいて、
前記操作レバーがケース上に一列に並んで配置され、ケース上にカバーが揺動可能状態に配設され、カバーに可動突起が形成され、カバーが信号遮断側に揺動されたとき（カバー開）は、可動突起と全操作レバーとが離隔され、カバーが信号接続側に揺動されたとき（カバー閉）は、可動突起によって全操作レバーが信号接続側に移動されることを第１構成とする。
本発明は、第１構成において、カバーに掛止部材が形成されるとともにケースの上部に受具が形成され、掛止部材の隣接位置に掛止解除部材が形成され、カバーが信号接続側に揺動されたときは、掛止部材が受具に掛止されて掛止位置が維持され、掛止解除部材が押圧されたとき掛止部材と受具との掛止が解除されることを第２構成とする。
本発明は、第１・第２構成において、横長のカバーが操作レバーに沿って配置され、カバーの両端が横長のケースの両端に支持され、板状の可動突起がカバーの全長にわたって形成され、カバーの横長方向の中央部に可撓壁が形成され、可撓壁の先端に掛止部材が配置されたことを第３構成とする。
【０００７】
【発明の実施の形態】
図１〜６は本発明のシグナルカットユニットの実施の形態を示す。図６に示すように、本発明のシグナルカットユニット１０は、電磁弁制御ユニット１１とマニホールド電磁弁１２との間に隣接して接続されている。マニホールド電磁弁１２は、マニホールドベース１４上で複数個の電磁弁１３がエンドプレート１５によって挟持されたものである。電磁弁制御ユニット１１、シグナルカットユニット１０、マニホールド電磁弁１２を連結して電磁弁制御装置が構成されている。図１のシグナルカットユニット１０のケース２０の内部に、図４（ｂ）  の回路で示す手動スイッチ（トグルスイッチ）２１が配設され、手動スイッチ２１は電磁弁制御ユニット１１（入力側端子１６）からマニホールド電磁弁１２（出力側端子１７）の各電磁弁１３への信号を接続し又は遮断する。図１に示すようにケース２０はケース蓋１９によって閉じられ、手動スイッチ２１の操作レバー２２がケース２０の上面３０に突出して配置されている。
【０００８】
図２（ａ）  ・図１に示すように、ケース２０の前側に向けて制御ユニット接続コネクタ（入力側端子）１６が配設され、接続コネクタ１６はケース蓋１９の長円形穴４０を介して外部に露出されている。図２（ｂ）  に示すように、ケース２０の後側に向けて電磁弁接続コネクタ（出力側端子）１７が配設され、接続コネクタ１７はケース２０の長円形穴４１を介して外部に露出されている。なお、ケース蓋１９の長円形穴４０の周りには嵌合用突起４２が形成され、ケース２０の長円形穴４１は嵌合穴の機能を有している。複数個の手動スイッチ２１の操作レバー２２がケース２０の上面３０に一列に並んで配置され、横長のカバー２３が操作レバー２２に沿って配置され、カバー２３の両端が横長のケース２０の両端に揺動可能状態に配設されている。具体的には、ケース２０の上部両端に支持具２５Ａ，Ｂが形成され、支持具２５Ａ，Ｂの外側の円筒状突出部２８（図５参照）に、カバー２３の側壁２４Ａ，Ｂの嵌合孔２６（図１参照）が嵌合されている。
【０００９】
図３（ｂ）  ・図１に示されているように、カバー２３の縦断面は後壁３８、上壁２９、可動突起２７からなる略Ｆ字形をしており、可動突起２７は上壁２９の中央から下側へ延びており、可動突起２７・後壁３８・上壁２９はカバー２３の全長にわたって形成されている。上壁２９からケース２０の上面３０に伸びる複数個の区画壁３９が形成され、区画壁３９は各操作レバー２２の間に配置され、区画壁３９の後部から下部にわたって湾曲部が形成されている。区画壁３９の下端はケース２０の上面３０に接触又は接近し、カバー２３の上壁２９に外力が作用するとき、区画壁３９がケース２０の上面３０に接触して上壁３０の変形を防止する。
【００１０】
図４（ａ）  に示すように、カバー２３は両側の円筒状突出部２８を中心として揺動し、カバー２３が信号遮断側に揺動されたとき（カバー開，図１参照）は、可動突起２７と全操作レバー２２とが離隔され、操作レバー２２を信号接続側又は信号遮断側へ自由に切り換えることができる。これに対して、カバー２３が信号接続側に揺動されたとき（カバー閉，図５参照）は、カバー２３の可動突起２７によって全操作レバー２２が信号接続側に移動される。信号遮断時に信号遮断側に位置していた操作レバー２２は、カバー２３の信号接続側への揺動により、可動突起２７の移動によって操作レバー２２の側部が押圧され、信号接続側に切り換えられる。
【００１１】
図３（ａ）  及び図５に示されているように、カバー２３の横長方向の中央部において、上壁２９の前側から下方へ所定幅の可撓壁３２が伸び、可撓壁３２の先端に掛止部材３１が形成されている。掛止部材３１は可撓壁３２の先端から前方へ突出し、前方突出部の前方下側に傾斜部３６が形成されている。可撓壁３２の前側には略四角形の枠状に前方へ突出した掛止解除部材３３が形成され、上壁２９の前方部で可撓壁３２の両側に可撓性を付与するための切欠３４が形成されている。ケース２０の横長方向の中央部の上部前側に、上面３０から所定長さ上方へ離隔した受具３５が形成され、受具３５の後端上方に傾斜部３７が形成されている。掛止部材３１と受具３５とによりロック機構が構成される。なお、受具３５の下側に長方形穴４３が形成されている。
【００１２】
カバー２３が信号接続側に揺動されるとき、すなわちカバー２３が閉じられるとき、掛止部材３１の傾斜部３６が受具３５の傾斜部３７に当接し、揺動による掛止部材３１の下方運動が傾斜部３６・３７に作用し、その反作用によって可撓壁３２が後方へ撓む。掛止部材３１が受具３５の後側を下方へ移動し、受具３５の後側を通過した後に、可撓壁３２の弾性によって掛止部材３１が前方に移動し、図３（ａ）  に示す掛止位置（ロック位置）に維持される。この掛止状態を解除したいときは、掛止解除部材３３を指で押圧して、掛止部材３１の先端を受具３５の後端よりも後方へ移動させ、その状態を保ちつつカバー２３を開き、カバー２３を信号遮断側へ揺動させる。このことにより掛止部材３１と受具３５との掛止が解除される。なお、掛止解除部材３３を指で押圧して、掛止部材３１の先端を受具３５の後端よりも後方へ位置させながら、カバー２３を閉じ、掛止してもよい。
【００１３】
電磁弁制御装置の稼働時には、図６・図５に示すようにシグナルカットユニット１０のカバー２３は閉じられ、全操作レバー２２は信号接続側に傾斜している。電磁弁１３にはアクチュエータが接続されており、アクチュエータの連動により自動生産ラインが稼働する。メンテナンス時には、各電磁弁１３、各アクチュエータ、各連動部分を点検し、それらの動きを確認し、調整する必要がある。そのため、シグナルカットユニット１０のカバー２３を開いて操作スイッチ２２を信号遮断側に切り換え、電磁弁１３の上部の電磁弁手動操作ボタン４４Ａ、  ４４  Ｂにより電磁弁１３の主弁（スプール）を手動で切り換え、点検、確認、調整を行う。
【００１４】
シグナルカットユニット１０のカバー２３を開いたとき、目的の電磁弁の操作スイッチ２２のみを信号遮断側に切り換えることができるので、目的の電磁弁への信号のみを遮断して、点検、確認、調整を行うことが可能である。ラインの稼働中に特定の電磁弁やアクチュエータを交換したり調整することが必要となった場合、ライン全体を止める必要はなく、暫定的に特定の電磁弁への信号を遮断して、部品の交換や調整等のメンテナンスを行うことができる。
【００１５】
メンテナンス終了後の稼働の際には、カバー２３を閉じることにより全操作レバー２２が信号接続側に切り換えられ、すべての手動スイッチ２１が信号接続状態（リセット）になる。カバー２３が閉じられ手動スイッチ２１がリセット位置にあるか否かは目視により確認できるので、手動スイッチ戻し忘れによる誤動作が防止される。また、掛止部材３１と受具３５からなるロック機構により、装置運転中の振動やシグナルカットユニット１０への外力等によりカバー２３の誤開放されることが防止される。
【００１６】
【発明の効果】
請求項１のシグナルカットユニットは、電磁弁制御ユニットからマニホールド電磁弁の各電磁弁への信号を接続又は遮断する手動スイッチがケース内に配設され、カバーを閉じて、カバーが信号接続側に揺動されたときは、可動突起によって全操作レバーが信号接続側に傾斜する。このように、各入力端子と各出力端子との間には個別の手動スイッチのみが接続され、リセットをするときには機械的操作によって全手動スイッチを同時に信号接続する。
請求項２のシグナルカットユニットは、カバーを閉じて、カバーが信号接続側に揺動されたときは、掛止部材が受具に掛止されて掛止位置が維持され、全手動スイッチの信号接続が維持される。
【図面の簡単な説明】
【図１】本発明のシグナルカットユニットの実施の形態のカバー開のときの前側の斜視図である。
【図２】図２（ａ）  は本発明のシグナルカットユニットのカバー閉のときの正面図であり、図２（ｂ）  はカバー閉のときの背面図である。
【図３】図３（ａ）  は図２（ａ）  のＸ−Ｘ線視の断面図であり、図３（ｂ）  は図２（ａ）  のＹ−Ｙ線視の断面図である。
【図４】図４（ａ）  は本発明のシグナルカットユニットのカバー開のときの平面図であり、図４（ｂ）  は配線図である。
【図５】本発明のシグナルカットユニットのカバー閉のときの斜視図である。
【図６】本発明のシグナルカットユニットを含む電磁弁制御装置の斜視図である。
【符号の説明】
２０  ケース
２１  手動スイッチ
２２  操作レバー
２３  カバー
２７  可動突起
【図１】
2004183776.tif 000003
【図２】
2004183776.tif 000004
【図３】
2004183776.tif 000005
【図４】
2004183776.tif 000006
【図５】
2004183776.tif 000007
【図６】
2004183776.tif 000008